(57)【要約】【課題】操作設定が複雑な装置の簡易化システム【解決手段】操作設定が複雑な装置の、モニター画面の選択肢を通して、ユーザーが使用目的や条件を決めて操作設定を行う装置の、設定構成内容を変更する為のキーワードの選択肢を配置し、ユーザーの選択に対応して選択肢の設定構成内容の再構成を行い、操作設定の簡易化、迅速化を実現する。【選択図】図１
2006163448.tif 000002
【特許請求の範囲】
【請求項１】
マイクロコンピューター内臓で画像や音声にて表現できる装置であり尚且つ、取り扱い難易度の高い装置での操作設定安易化手法において、文章や音声や動画を介しての操作設定過程でユーザーの設定に対応して設定内容の構成を変更してゆく装置設定システムであり、ユーザーの要求や操作の熟練度に差がある場合にも対応出来る様に操作設定手順が用意されていて、設定構成の中にユーザーの意図、及び操作技能の程度を判断出来る内容の文章や音声や映像の選択肢を設定しておき、ユーザーの選択に対応して設定構成を変更して操作設定の利便性を向上させるシステム。
【請求項２】
請求項１の装置がデジタルカメラの場合において、撮影した写真データと共に撮影の設定情報を盛り込む事で、過去に撮影した写真と同様の撮影設定で再度撮影する事が出来る様にした装置設定データを含む画像データ、及びそのデータに対応出来るデジタルカメラ。
【発明の詳細な説明】
【技術分野】
【０００１】
本発明は、操作難易度の高い装置の簡易化設定方法に関するものである。
【背景技術】
【０００２】
多機能で複雑化した電化製品及び特殊装置は現代では非常に多く存在しますが、多機能や高機能装置の安易操作化については、現在のところ、充分なシステムがなく、多機能な装置を使いこなすには、取扱い説明書を正確に習得する必要があります。特にデジタルカメラの様に一般の人が利用するには、設定が複雑で性能を充分に発揮する事は難しく、撮影条件による対応は、その設定が高度であり、自動検出のセンサーでは検出不可能な多種多様な環境やユーザーの希望する映像表現に対応する事が出来ず、自動設定モードがいくら高度化しても、撮影には多くの手法が存在して、目的にあった適切な撮影でデジタルカメラの性能を充分に発揮出来ないのが実状であります。
【発明の開示】
【発明が解決しようとする課題】
【０００３】
本発明はカメラの撮影方法を知らない初心者のユーザーでも取扱い説明書なしで、電源を入れてディスプレイの選択肢に対応し、目的にあった適切な撮影設定を行える様にする事であり、この設定方式の短所の時間のかかる問題が操作回数を重ねると、より操作設定を簡易化するものであります。
【課題を解決するための手段】
【０００４】
本発明は操作高難易度装置一般に関するものでありますが、本発明の説明に関しては、ユーザーの撮影対象の違いで設定が多様化するデジタルカメラに適した設定手法であるので、デジタルカメラを想定して、本発明の装置設定システムを説明します。本発明の趣旨と異なる説明も多くありますが。本発明が従来のカメラ機能を損なわないと云う事を説明する為に記載してあります。また、１回目、２回目と云う表示になりますが、これは図１で示す様に設定を進めて行く構成画面の深さを示します。また、「⇔」は並んで表示されている項目から１つが選択されると云う意味になります。
本発明が実現するデジタルカメラにおいての操作法とはマイクロコンピューターがモニター画面の選択肢を通して、ユーザーが使用目的や撮影環境等の条件を決めてゆき、撮影に適した撮影設定をするものです。さらにユーザーが取扱いの知識がない場合にも操作設定が容易に出来て、さらに設定構成組替えにより、高精度設定の簡易化及び設定時間の短縮を図る様にした高難易度設定簡易化システムです。
初めて装置に電源を入れると、１回目０画面に「１、カメラ撮影。２、動画撮影。３、再生。４、従来操作法に変更」と画面が表示されます。始めて電源投入の場合、本体に時間設定がされていないので、「５、時間設定。」が上記項目に追加表示されます。１回目０画面にて「１、カメラ撮影。」を選択すると、２回目０−１画面は「１、シーンで選ぶ。２、写真で選ぶ。３、お気に入りで選ぶ。４、新規設定。５、戻る。」と表示されます。ここの選択項目の中に操作の技能力のパラメーターが存在します。「２、写真で選ぶ。」は操作技能度が一番低く、次に「１、シーンで選ぶ。」であり、「３、お気に入りで選ぶ。４、新規設定。」が同格で操作技能力が高い事になります。そしてそれぞれの項目の内容は操作技能に対応した用語や内容で項目が構成されています。例えば、操作技能度が低い場合は「ピント」と表現し操作技能度が高い場合は「フォーカス」と云う表現で使い分けをします。
そして２回目０−１画面で「１、シーンで選ぶ」を選択すると、３回目０−１−１画面は「１、必須設定。２、野外。３、人物。４、スキー場。５、夜景。６、夜景と人物。７、花火。８、キャンドル。９、さらに詳しく選択。１０、戻る。」と表示され、ユーザーが必須設定を変更するか、もしくは無変更で良いと判断した上で、他項目を選択する手順になります。
ここで「１、必須設定。」を選択すると、４回目０−１−１−１画面になり「ここで設定された内容は自動的に変更される事もあります。」という注意書きが表示されますが、これは、ここの項目を選択した後にシーン選択をすると設定に矛盾が発生する場合があり、シーン設定優先とする為にこの表示をします。上記注意書きと共に「１、撮影対象；静止⇔動く被写体。２、ストロボ；発光⇔停止⇔自動。発光量；強く⇔標準⇔弱く。赤目防止；オン⇔オフ。ストロボ色補正；オン⇔オフ。３、ピント１；中央１点（手前に人物）⇔中央に分散⇔直接キー。ピント２；ゆっくり正確⇔早く。４、タイマー撮影；オン⇔オフ⇔直接キー。５、明暗の強調；強⇔標準⇔弱。６、特殊効果；標準⇔セピア⇔モノトーン⇔ぼかし調。７、接写；オン⇔オフ。８、画像サイズ；Eメール⇔１M⇔２M⇔３M⇔５M⇔７M⇔直接キー。９、手振れ防止；オン⇔オフ。１０、解説。１１、戻る。」と表示されます。「直接キー」と表示されていますが、ここを選択すると、画面の選択キーではなく、装置の表面に付けられた直接キーで操作ができる様になり、この機能は独立して使える様になります。切り替わったキーの場所を教えるのは、イラストや写真によりキーの位置を表示されるか、キーがLEDなどにより点滅するなどして、キーの場所を示します。ここで「１１、解説。」を選択すると、ここの項目での難しい用語の説明がなされます。例えば、「＊赤目防止；ストロボ撮影で目が赤く写ってしまう事がありますが、それを軽減する事が出来ます。＊ストロボ色補正；ストロボは発色に色むらがある為に補正する機能です。＊セピア；古く暖かいイメージの色合いの写真にします。＊モノトーン；白黒調の写真にします。＊戻る。」の様な形で表示されます。
３回目０−１−１画面に戻り、「９、さらに詳しく選択。」を選ぶと、４回目０−１−１−９画面は「１、必須設定。２、室内；a電球、b蛍光灯、c暗い室内、dスポットライト、eキャンドル。３、野外；a晴、b晴逆光、c曇、d曇逆光、e夜景、f朝、g雪、h花火、i星空、j水中、k山岳風景。４、スポーツ観戦；a昼、bナイター。５、戻る。」と言う風に選択内容が非常に詳しくなり、より細かい選択が出来るようになります。「１、必須設定。」については、４回目０−１−１−１画面の内容と同じになります。
ここで２回目０−１画面に戻り「２、写真で選ぶ。」を選択します。ここは２回目０−１画面「１、シーンで選ぶ。」と同様な設定なのですが、文字の変わりにイメージ的な写真で選択をするものです。３回目０−１−１画面と同様な撮影条件を写真サンプルで羅列されており、撮りたい環境の写真をスクロールして探して行き選択すると、その写真で表現されている環境で撮影するのに必要な設定が施されます。
２回目０−１画面で「３、お気に入りで選ぶ。」は前もって「４、新規設定。」で設定し撮影したものを同様な設定で撮影する項目で、撮影内容を記憶させておくものです。この画面では以前に撮影し記録された写真をスクロールして選択し、以前に設定した内容で撮影を行うものです。すなわち、写真データとカメラ設定データが関連して保存される事になります。
そして２回目０−１画面で、「４、新規設定。」を選択すると、「この設定は自動的に変更される事があります。」と注意書きが表示されて「１、色調（光源）の選択；白熱球⇔蛍光灯⇔ハロゲン球⇔スポットライト⇔水銀灯⇔ブラックライト⇔晴れ⇔曇り⇔スキー場⇔夜景⇔朝⇔花火⇔星空⇔水中⇔山岳風景⇔ホワイトバランス手動調整。２、ストロボ；発光⇔停止⇔自動⇔自動逆光補正。発光量；強く⇔標準⇔弱く。赤目防止；オン⇔オフ。ストロボ色補正；オン⇔オフ。３、タイマー撮影；オン⇔オフ⇔直接キー。４、絞り；自動⇔開放（ピント強調）⇔中間⇔絞り最小。明るさ自動１；手前⇔背景。明るさ自動２（シャッタースピード）；＋２⇔＋１⇔０⇔−１⇔−２⇔スローシャッター手動設定。５、フォーカス；自動⇔０.５⇔１⇔３⇔７⇔∞⇔直接キー。フォーカス自動１；中央１点⇔中央に分散。フォーカス自動２；ゆっくり正確⇔早く。６、接写；オン⇔オフ⇔直接キー。７、コントラスト；強⇔標準⇔弱。特殊効果；標準⇔セピア⇔モノトーン⇔ポートレート。８、画像サイズ；Eメール⇔１M⇔２M⇔３M⇔５M⇔７M⇔直接キー。９、解説。１０,戻る。」の表示画面となります。「５、フォーカス；自動⇔０.５⇔１⇔３⇔７⇔∞⇔直接キー。」の「直接キー」を選択すると、フォーカスが外装の操作キーで手動調整になり、他の直接キーについても同様で、外装のキーに割り当てし、直接操作が可能になります。ここの０−１４画面の選択内容で間違った設定を行うと写らない場合があるので、評価機能を設けるか、条件によっては入力されない事にします。「ホワイトバランス手動設定」、「スローシャッター手動設定」については設定用画面が現れます。
１回目０画面「１、カメラ撮影。２、動画撮影。３、再生。４、従来操作法に変更。」の「２、動画撮影。３、再生。」については「１、カメラ撮影。」の内容と同様の方法で設定が可能な事が推測出来るので、説明を省略します。
１回目０画面の「４、従来操作法に変更。」はこの発明の操作設定方ではなく、従来のデジタルカメラ操作方法で設定するモードに変更します。
上記のように文章構成で、機能設定して行く場合は、操作高難易度装置を使い慣れていないユーザーにとって判り易くなると云う利点がありますが時間がかかると云う問題点があります。本発明はこの問題を解決するもので、例を挙げて説明すると、スキー場で人物と背景写真を撮る場合には、１回目０画面で「１、カメラ撮影」、２回目０−１画面で「１、シーンで選ぶ。」、３回目０−１−１画面で「９、さらに詳しく選択。」、４回目０−１−１−９画面で「１、必須設定。」を選択し、５回目０−１−１−９−１画面で「２、撮影対象；静止⇔動く被写体。」の「動く被写体」を設定し、４回目０−１−１−９画面に戻り、「３、野外； g雪。」を選択すると、ようやく撮影が可能になりますが、もう一度同じ操作をする場合では、１回目０画面が「１、カメラ撮影；雪、動く被写体。2、動画撮影。３、再生。４、直接操作に変更。」と云う風に項目の内容がユーザーの使い易い様に変更されています。「１、シーンで選ぶ。」、「９、さらに詳しく選択。」は内容の簡易化の為、省略されます。ここの内容に着目点がもうひとつあります。選択項目画面の操作の中にシーン選択の項目が３回目選択０−１−１画面と４回目０−１−１−９画面の２箇所に存在します。０−１−１画面の構成目的は素早く簡潔に設定を済ませる内容になっています。０−１−１−９画面は０−１−１画面に含まれる内容は網羅されており、０−１−１画面の内容をさらに緻密に設定する内容になっています。これは、ユーザーが０−１−１画面のシーン選択画面「８、さらに詳しく選択。」の文章に技能優先のパラメーターがあり、これを選んだと云う事は、ユーザーは安易に素早く設定する方法よりも緻密に設定したいと云う事であるので、０−１−１画面の内容を網羅している、０−１−１−９画面があれば、０−１−１画面が必要なくなるので、０−１−１画面を先に表示するのをやめ、０−１−１−９画面に「６、より簡単な選択に戻る。」と云う項目を追加し画面の出てくる３回目と４回目の順序を置き換えします。すなわち設定を繰り返す過程で、この様にユーザーの必要としている形に操作設定構成を変える事でユーザーが使いやすい装置に変わって行く操作設定法であります。上記の構成変更を判定する理由は選択した項目から判断したものでしたが、条件の判断は総合的なもので、センサーの情報であってもよいのです。実際にユーザーが使用する条件は同じ環境で続けて何枚も撮影する事が多く。この様に以前に設定した内容が要約されて最初の選択画面に盛り込まれる事により、2回目からの設定操作が簡易化されます。この様な構成が数多く作られると、さらに操作が簡易化される事になります。
【発明の効果】
【０００５】
選択肢による設定手法の短所である、設定に時間が掛かると云う問題を解決する手法であります。本発明の長所は操作反復の簡易化だけではなくて、以前撮影した写真の設定が不満の場合に、その写真の設定を改善するのにも良いシステムであります。この設定方式であれば、初めてこの装置を使うユーザーであっても、使いこなす事が出来るものです。
【発明を実施するための最良の形態】
【０００６】
コンピューターによる制御画面において、装置の操作設定を文章や音声や動画による選択肢が提示され、ユーザーがその内容に対応して設定するシステム。
【図面の簡単な説明】
【０００７】
【図１】構成変更される前の設定文章構成図。選択肢の行き先で本発明の説明に必要ないものについては省略してあります。
【符号の説明】
【０００８】
０画面  装置の電源を入れた時に出てくる初期画面、
０−１画面  ０画面で選択肢の１を選ぶと出てくる画面
０−１−１画面  ０−１画面で選択肢の１を選ぶと出てくる画面
０−１−１−１画面  ０−１−１画面で選択肢の１を選ぶと出てくる画面
０−１−１−１−１０画面  ０−１−１−１画面で選択肢の１０を選ぶと出てくる画面
０−１−２画面  ０−１画面で選択肢の２を選ぶと出てくる画面
０−１−２−１画面  ０−１−２画面で選択肢の１を選ぶと出てくる画面
０−１−２−１−１０画面  ０−１−２−１画面で選択肢の１０を選ぶと出てくる画面
０−１−３画面  ０−１画面で選択肢の３を選ぶと出てくる画面
０−１−３−１画面  ０−１−３画面で選択肢の１を選ぶと出てくる画面
０−１−３−１−１０画面  ０−１−３−１画面で選択肢の１０を選ぶと出てくる画面
０−１−４画面  ０−１画面で選択肢の４を選ぶと出てくる画面
０−１−４−９画面  ０−１−４画面で選択肢の９を選ぶと出てくる画面
【図１】
2006163448.tif 000003